(57)【要約】【課題】電子の核子と電子のラブは同じものです。電子のラブはビッグバンの以前どのようにできたか。電子のラブが１自転することによって磁気の光子が１個できるのはどうしてか。【解決手段】電子のラブが走る逆方向に電流ができるから、電子の自転によって、電気のコイルができると考える。電気のコイルによって、磁気の光子ができる。１公転で１０１６個の電気のコイルができ、１０１６個の磁気の光子ができる。１０１６個の電気のコイルは連なり１本の電気の光子になる。１０１６個の磁気の光子は１つの輪になっている。１つの輪の中に１０１６個の磁気の光子がある。１自転でできる電気のコイルのエネルギーと磁気の光子のエネルギーは等しい。電子の外に放出した光子は分散する。ビッグバンの以前のエネルギーが現在のエネルギーの何倍であるかが解ると、電子のラブがどのようにできたのか解る。【選択図】図６
2005269899.tif 000002
【特許請求の範囲】
【請求項１】
電子のラブと電子の核子は同じものです。電子のラブは電子の核子の自転体ではない。電子のラブ（＝電子の核子）が自転し、磁気の光子を作っている。電子のラブ（＝電子の核子）が公転し、電気の光子を作っている。
陽子のラブと陽子の核子は同じものです。陽子のラブは陽子の核子の自転体ではない。陽子のラブ（＝陽子の核子）が自転し、磁気の光子を作っている。陽子のラブ（＝陽子の核子）が公転し、電気の光子を作っている。
【請求項２】
電子のラブ（＝電子の核子）とはどのようなものか。
電子のラブ（＝電子の核子）は、ビッグバンの以前に存在した、高エネルギー体である。
ビッグバンの以前は、１０−４４ｍの軌道を自転し、現在、地球では、１０−２８ｍの軌道を自転する。
電子のラブ（＝電子の核子）の自転や公転の軌道は存在する場のエネルギーによって変わる。
電子のラブ（＝電子の核子）のエネルギーは８×１０−１４Ｊです。
電子のラブ（＝電子の核子）の自転は公転と同じ方向です。
電子のラブ（＝電子の核子）は電気の光子が１０２４分のエネルギーでできた。
電子のラブは、地上の場のエネルギー（＝軌道エネルギー）の１０４０倍の場でできた。
電子のラブは、電気の光子でできているので、１自転で、１個の電気のコイルができる。
電子のラブは、電気の光子でできているので、走ったエネルギーが電気の光子に成る。
【請求項３】
電子のラブが１自転すると、どうして１個の磁気の光子ができるか。
電子のラブ（＝電子の核子）が１回自転することによって、電気のコイルが１個できる。
電子のラブ（＝電子の核子）が１回自転すると、電気のコイルが１個でき、１個の磁気の光子ができる。
電子のラブは１公転する間に、１０１６回自転する。
電子のラブは１公転する間に、１０１６回自転するので、電気のコイルが１０１６個できる。
電気のコイルが１０１６個で１０１６個の磁気の光子ができる。
電子のラブは１公転する間に１０１６回自転し、電気のコイルを１０１６個作るので、１０１６個の磁気の光子ができる。
【請求項４】
電子のラブが１公転すると、どうして１個の電気の光子ができるか。
電子のラブは１公転する間に、１０１６回自転するので、電気のコイルが１０１６個できる。
電気のコイルが１０１６個で１本の電気の光子です。
１０１６個の電気のコイルが１個の電気の光子です。
電子のラブ（＝電子の核子）が１回自転すると、そのあとに電気の光子のコイルができる。
電子のラブ（＝電子の核子）が自転した運動エネルギーが電気の光子のエネルギーに成る。
【請求項５】
導線を自由電子のラブ（＝電子の核子）が走る場合。
放出する磁気の光子のエネルギーは１．２５×１０−３７Ｊです。（本発明者の２００５−４７９１５に記す。）これはどのようなことを意味するのか。
電子のラブは１自転で１０−５３Ｊの磁気の光子を作る。１公転の間に１０１６回自転するので、１公転するときできる磁気の光子のエネルギーは、
１０−５３Ｊ×１０１６回＝１０−３７Ｊです。
よって、導線から放出する磁気の光子１個のエネルギー１．２５×１０−３７Ｊは、電子のラブが１０１６回自転してできた磁気の光子１０１６個が輪になった磁気の光子のエネルギーです。
この事によって、磁気の光子１０１６個が輪になって、導線から放出する事が理解できる。
【請求項６】
導線を自由電子のラブ（＝電子の核子）が走る場合。
導線で、できる電気の光子のエネルギーは８×１０−２２Ｊです。（本発明者の２００５−４７９１５に記す。）これはどのようなことを意味するのか。
電子のラブは１自転し、１つの電気のコイルを作る。
１公転で１０１６個の電気のコイルができます。
１公転で８×１０−３８Ｊの電気の光子ができますから、１つの電気のコイルのエネルギーは、
８×１０−３８Ｊ÷１０１６個＝８×１０−５４Ｊです。
即ち、電子のラブが１自転してできる磁気の光子のエネルギーと１自転してできる電気のコイルのエネルギーは等しい。
導線の中で、自由電子のラブは自転しながら走る。
１秒間に、１０３２回自転しますから、１秒間にできる電気のコイルのエネルギーは、
８×１０−５４Ｊ×１０３２回＝８×１０−２２Ｊです。
即ち、導線で、できる電気の光子のエネルギー８×１０−２２Ｊは、自由電子のラブが１秒間に、１０３２回自転しながら走ってできる電気のコイルのエネルギーです。
電気のコイルのエネルギーは電気の光子が回転しながら走るエネルギーです。
導線の中を、自由電子のラブが１秒間に、１０３２回自転しながら走って８×１０−２２Ｊの電気の光子を作る。
自由電子のラブが走った逆方向に電気の光子は走るので、電気のコイルは伸びる。伸びて波の状態になる。
【請求項７】
原子を電子のラブが走る場合。どのようにして磁気の光子ができるか。
電子のラブ（＝電子の核子）が１回自転すると、１個の電気のコイルができます。１個の電気のコイルによって、１個の磁気の光子ができます
電子のラブ（＝電子の核子）が２回自転すると、２個目の電気の光子のコイルができます。２個目の電気の光子のコイルによって、２個目の磁気の光子ができます。
電子のラブ（＝電子の核子）が１０１６回自転すると、１０１６個の電気の光子のコイルができます。１０１６個の電気の光子のコイルによって、１０１６個の磁気の光子ができます。これで１公転です。
磁気の光子は電気のコイルの回転に垂直に回転する。
１公転で、１０１６個の磁気の光子はまとまり、１０−１２ｍの磁気の光子の輪になります。
【請求項８】
原子を電子のラブが走る場合。どのようにして電子の光子ができるか。
電子のラブ（＝電子の核子）が１回自転すると、１個の電気のコイルができます。１個の電気のコイルによって、１個の磁気の光子ができます。
電子のラブ（＝電子の核子）が２回自転すると、２個目の電気の光子のコイルができます。２個目の電気の光子のコイルによって、２個目の磁気の光子ができます。
電子のラブ（＝電子の核子）が１０１６回自転すると、１０１６個の電気の光子のコイルができます。１０１６個の電気の光子のコイルによって、１０１６個の磁気の光子ができます。これで１公転です。
１公転で、１０１６個の電気の光子のコイルは１本の電気の光子になります。
電気の光子のコイルは１０−２８ｍの軌道です。
電気の光子のコイルは波長が２×１０−２８ｍで、電気の光子のコイルは１０１６連なり１本の電気の光子の輪となります。
１０−１２ｍの電気の光子の輪になります。
【請求項９】
電子の中で、電気の光子と磁気の光子はどのようになっているか。
電子の中で、電気の光子は１０８個束になりＸ線になっている。Ｘ線は集まって特性Ｘ線になっている。電子の中で、１秒間に電子のラブは、秒速４×１０４ｍで走るから、１秒間に電子のラブは、
４×１０４ｍ÷（３．１４×１０−１２ｍ）≒１０１６回公転する。
それで、１秒間にできるＸ線は、１０１６個÷１０８個＝１０８個です。
これらのＸ線は特性Ｘ線になって軌道を回転している。
電気の光子が１０８個でＸ線になるので、磁気の光子は１０８＋１６個＝１０２４個で束になっている。１秒間に電子のラブは、秒速４×１０４ｍで走るから、１秒間に電子のラブは、
４×１０４ｍ÷（３．１４×１０−２８ｍ）≒１０３２回自転する。
１秒間に磁気の光子は１０３２個できる。
１０２４個で束になっている磁気の光子は、１０３２個÷１０２４個＝１０８個できる。
Ｘ線の数と１０２４個で束になっている磁気の光子の数は同じです。
特性Ｘ線の回りを１０２４個で束になっている磁気の光子は集まって、クロス回転している。
電子のラブが１公転でできる磁気のエネルギーと電気のエネルギーは同じです。
電子のラブが１公転でできる電気の光子のエネルギーは８×１０−３８Ｊで、１公転でできる磁気の光子のエネルギーは、１０−５３Ｊ×１０１６個＝１０−３７Ｊです。
電子のラブが１秒間で作る電気の光子のエネルギーは、８×１０−３８Ｊ×１０１６回公転＝８×１０−２２Ｊです。
電子のラブが１秒間で作る電気の光子のエネルギーは、１０−３７Ｊ×１０１６回公転＝１０−２１Ｊです。
電子の中で、磁気の光子か集まって回転するエネルギーと、電気の光子が集まって回転するエネルギーは同じです。
【請求項１０】
電子のラブが１自転してできる磁気の光子のエネルギーと、電気の光子のエネルギーは等しく、電子のラブが１公転してできる磁気の光子のエネルギーと、電気の光子のエネルギーは等しい事はどうして証明されるか。
導線において、１Ａ・１ｍでできる磁気の光子のエネルギーは３．１６×１０−４Ｊです。
１Ａ・３×１０８ｍでできる磁気の光子のエネルギーは、
３．１６×１０−４Ｊ×３×１０８ｍ＝９．４８×１０４Ｊです。
（３．１６×１０−４）２＝１０−７        （９．４８×１０４）２≒９×１０９
よって、１Ａ・１秒でできる磁気の光子のエネルギーは、１Ａ・１秒でできる電気の光子のエネルギーと等しい。
それで、１公転でできる磁気の光子のエネルギーと電気の光子のエネルギーは等しい。
【請求項１１】
電子の中の、電子のラブの公転の軌道エネルギーの式と、電気の光子１０８個の軌道エネルギーの式と、磁気の光子１０２４個の軌道エネルギーの式はどうであるか。
電子のラブの公転の軌道エネルギーの式は、１０−２５Ｊ・ｍ÷軌道又はエネルギー  です。
電子の中の軌道エネルギーの式に関しては、２００５年２月２８日に提出した特許願に記した。
電子の中の電気の光子１０８個であるＸ線の軌道エネルギーの式に関しては、『請求項２』に記した。
電子の中の磁気の光子１０１６個の軌道エネルギーの式に関しては、『請求項１』に記した。
電子の中の磁気の光子１０２４個の軌道エネルギーの式に関しては、『請求項１』に記した値の１０８倍です。
2005269899.tif 000005
【請求項１２】
ビッグバンにおける電子のラブの自転の軌道エネルギーの式と、地上に於ける電子のラブの自転の軌道エネルギーの式はどれ位か。
ビッグバンにおける電子のラブの自転の軌道エネルギーの式をｘとしますと、
ｘ÷（８×１０−１４Ｊ）＝１０−４４ｍ          ｘ＝８×１０−５８Ｊ・ｍ
即ち、ビッグバンにおける電子のラブの自転の軌道エネルギーの式は、８×１０−５８Ｊ・ｍ÷軌道又はエネルギー  です。
地上に於ける電子のラブの自転の軌道エネルギーの式をｙとしますと、
ｘ÷（８×１０−１４Ｊ）＝１．２５×１０−２８ｍ          ｙ＝１０−４１Ｊ・ｍ
即ち、地上に於ける電子のラブの自転の軌道エネルギーの式は、１０−４１Ｊ・ｍ÷軌道又はエネルギー  です。
【請求項１３】
電子のラブの自転の軌道エネルギーは公転の軌道エネルギーの何倍か。
電子のラブの自転の軌道エネルギーの式は、１０−４１Ｊ・ｍ÷軌道又はエネルギー  です。
電子のラブの公転の軌道エネルギーの式は、１０−２５Ｊ・ｍ÷軌道又はエネルギー  です。
それで、電子のラブの自転の軌道エネルギーは公転の軌道エネルギーの、
１０−２５Ｊ・ｍ÷１０−４１Ｊ・ｍ＝１０１６倍です。
【請求項１４】
電子のラブのエネルギーは電気の光子何個分のエネルギーか。電子のラブのエネルギーは磁気の光子何個分のエネルギーか。
電子のラブのエネルギーは、８×１０−１４Ｊです。磁気の光子１個のエネルギーは１０−５３Ｊです。
それで、電子のラブのエネルギーは、磁気の光子のエネルギーの、
８×１０−１４Ｊ÷１０−５３Ｊ＝８×１０３９個分です。
電気の光子１個のエネルギーは８×１０−３８Ｊです。
それで、電子のラブのエネルギーは、電気の光子のエネルギーの、
８×１０−１４Ｊ÷（８×１０−３８Ｊ）＝１０２４個分です。
この事によって、１個の電子のラブは、電気の光子１０２４個分のエネルギーで作られた事が理解できる。
【請求項１５】
地上に於ける、電気の光子の軌道エネルギーの式と磁気の光子の軌道エネルギーの式はどのように成っているか。電子の外側の光子が排斥される原理。
地上において、電子の外側の特性Ｘ線の軌道は約１０−９ｍです。
この現象は、地上の光子によって電子の外側の光子が排斥されたと考える。
地上の光子の軌道エネルギーの式と電子の外側の軌道エネルギーの式は同じであると考える。
地上の光子の軌道エネルギーは電子の外側の光子の軌道エネルギーと平衡状態にある。
電子の中で、１０８個束になっていた電気の光子が、地上に放出すると、分散し、１個の電気の光子になる。
電子の中で、電子の外側である１０−９ｍの電気の光子１０８個の軌道エネルギーの式は、１．７×１０−３２Ｊ・ｍ÷軌道又はエネルギー  ですから、
電気の光子１個の軌道エネルギーの式は、
１．７×１０−３２Ｊ・ｍ÷１０８÷軌道又はエネルギー＝１．７×１０−４０Ｊ・ｍ÷軌道又はエネルギー  です。
地上の電気の光子１個の軌道エネルギーの式は、１．７×１０−４０Ｊ・ｍ÷軌道又はエネルギー  です。
電子の中で、１０２４個束になっていた電気の光子が、放出すると、分散し、１０１６個の電気の光子になった。
電子の中で、電子の外側である１０−９ｍの磁気の光子１０２４個の軌道エネルギーの式は、２．１４×１０−３２Ｊ・ｍ÷軌道又はエネルギー  ですから、
磁気の光子１０１６個の軌道エネルギーの式は、
２．１４×１０−３２Ｊ・ｍ÷１０８÷軌道又はエネルギー＝２．１４×１０−４０Ｊ・ｍ÷軌道又はエネルギー  です。
地上の磁気の光子１０１６個の軌道エネルギーの式は、１．７×１０−４０Ｊ・ｍ÷軌道又はエネルギーです。
電子の外側のＸ線の軌道は１０−９ｍより少し大きい。
よって、地上の電気の光子１個の軌道エネルギーの式は、従来、本発明者が考えてきた、１０−４１Ｊ・ｍ÷軌道又はエネルギー  です。
よって、地上の磁気の光子１０１６個の軌道エネルギーの式は、従来、本発明者が考えてきた、１０−４１Ｊ・ｍ÷軌道又はエネルギー  です。
そして、地上の電気の光子１０８個の軌道エネルギーの式は、
１０−４１Ｊ・ｍ÷１０８÷軌道又はエネルギー＝１０−３３Ｊ・ｍ÷軌道又はエネルギー  です。
そして、地上の磁気の光子１個の軌道エネルギーの式は、
１０−４１Ｊ・ｍ÷１０１６÷軌道又はエネルギー＝１０−５７Ｊ・ｍ÷軌道又はエネルギー  です。
【請求項１６】
どうして電子の大きさは一定であるのか。どうして、電子の外側の軌道の光子は排斥されるか。
電子の大きさ＝電子の外側の軌道の大きさ  は一定である。
それは、地上の光子により、電子の外側の軌道の光子が排斥されるからです。
地上の光子の軌道エネルギーは、１０−４１Ｊ・ｍ÷軌道又はエネルギー  です。
電気の光子の場合。
１０−９ｍにおける、電気の光子１個の軌道エネルギーの式は、１．７×１０−４０Ｊ・ｍ÷軌道又はエネルギー  です。
１０−８ｍにおける、電気の光子１個の軌道エネルギーの式は、９．５×１０−３７Ｊ・ｍ÷１０８÷軌道又はエネルギー＝９．５×１０−４５Ｊ・ｍ÷軌道又はエネルギー  です。
地上の光子の軌道エネルギーは、電子の外側の１０−８ｍの電気の光子の軌道エネルギーより大きいので、１０−８ｍの電子の光子を排斥する。
電子の外側の１０−９ｍの電気の光子の軌道エネルギーは、地上の光子の軌道エネルギーより大きいので排斥されない。
磁気の光子の場合。
１０−９ｍにおける、磁気の光子１０１６個の軌道エネルギーの式は、２．１４×１０−４０Ｊ・ｍ÷軌道又はエネルギー  です。
１０−８ｍにおける、磁気の光子１０１６個の軌道エネルギーの式は、１．２×１０−３６Ｊ・ｍ÷１０８÷軌道又はエネルギー＝１．２×１０−４４Ｊ・ｍ÷軌道又はエネルギー  です。
地上の光子の軌道エネルギーは、電子の外側の１０−８ｍの磁気の光子の軌道エネルギーより大きいので、１０−８ｍの磁子の光子を排斥する。
電子の外側の１０−９ｍの磁気の光子の軌道エネルギーは、地上の光子の軌道エネルギーより大きいので排斥されない。
【請求項１７】
地上に放出するとどうして光子は分散するか。
電子の中において、電子のラブが光子を引き付けているので、光子の蜜度が高い。
しかし、電子の外側に出ると、電子のラブが無いので、光子は分散する。
１０８個の電気の光子は１個に分散します。
１０２４個の磁気の光子は１０１６個に分散します。１０１６個の磁気の光子の輪はほどけ、更に１個の磁気の光子に分散します。
【請求項１８】
地上に放出した電気の光子と磁気の光子はどのようになるか。
電子の外側の光子は排斥され、地上に放出すると、電子の光子は１０８個の束から、分散し、１個の電気の光子になる。
電気の光子１個のエネルギーは、８×１０−３８Ｊです。
その軌道は、地上で、
１０−４１Ｊ・ｍ÷（８×１０−３８Ｊ）＝１．２５×１０−４ｍになります。波長は２．５×１０−４ｍです。
これは遠赤外線で、熱エネルギーになっています。
夜でも暖かいのは、地上の電気の光子が遠赤外線であるからです。
電気の光子は、束がほどけると、軌道は１０−８ｍから１０−４ｍに拡大する。波長は１０４倍にのびる。
磁気の光子は、１０２４個から１０１６個に分散します。
磁気の光子１０１６個は１０−３７Ｊです。
その軌道は、地上で、
１０−４１Ｊ・ｍ÷１０−３７Ｊ＝１０−４ｍになります。
磁気の光子は、束がほどけると、軌道は１０−８ｍから１０−４ｍに拡大する。１０４倍に拡大する。
磁気の光子１０１６個は、輪がほどけると、１個の磁気の光子になる。
磁気の光子１個は１０−５３Ｊですから、その軌道は地上で、
１０−５７Ｊ・ｍ÷１０−５３Ｊ＝１０−４ｍになります。
１個の磁気の光子の軌道は次のように変化する。
電子の中１０−１２ｍの軌道では、１０２４個束になっていて、１個の磁気の光子は１０−２８ｍです。
電子の中１０−９ｍの軌道では、１０２４個束になっていて、１個の磁気の光子は１０−２５ｍです。
地上に放出し、１０１６個の輪になって、輪の大きさが１０−４ｍのとき、１個の磁気の光子は１０−２０ｍです。
そして更に、１０１６個の輪がほどけ、１個の磁気の光子になったとき、１個の磁気の光子は１０−４ｍです。
磁気の光子は、１０１６個の輪がほどけ、１個の磁気の光子になったとき、１個の磁気の光子は１０１６倍大きくなる。
この事によって、地上の光子の軌道は１０−４ｍである事が理解できる。
【請求項１９】
地上に於ける電子のラブの自転の軌道エネルギーの式と、磁気の光子１０１６個の軌道エネルギーの式が１０−４１Ｊ・ｍ÷軌道又はエネルギー  であり、同じである事は何を意味するのか。
電子のラブのエネルギーは、８×１０−１４Ｊです。
磁気の光子１０１６個のエネルギーは、１０−３７Ｊです。
電気の光子１個のエネルギーは、８×１０−３８Ｊです。
それで、電子のラブの自転軌道は、１０−４１Ｊ・ｍ÷（８×１０−１４Ｊ）＝１．２５×１０−２８ｍです。
磁気の光子１０１６個の自転軌道は、１０−４１Ｊ・ｍ÷１０−３７Ｊ＝１０−４ｍです。
電気の光子１個の自転軌道は、１０−４１Ｊ・ｍ÷（８×１０−３８Ｊ）＝１．２５×１０−４ｍです。
電子のラブの自転軌道は、電気の光子１個の自転軌道の、
１．２５×１０−２８ｍ÷（１．２５×１０−４ｍ）＝１０−２４倍です。
地上に於ける電子のラブの自転の軌道エネルギーの式と、磁気の光子１０１６個の軌道エネルギーの式が１０−４１Ｊ・ｍ÷軌道又はエネルギー  であり、同じである事は、
電子のラブの自転軌道は、電気の光子１個の自転軌道の、
１０−２４倍であり、エネルギーは１０２４倍であるということです。
電子のラブの自転軌道は、磁気の光子１０１６個の自転軌道の、
１０−２４倍であり、エネルギーは１０２４倍であるということです。
【請求項２０】
地上の光子の軌道エネルギーと電子の中の軌道エネルギーと電子のラブの自転の軌道エネルギーとビッグバンの以前の電子のラブの軌道エネルギーの比はどれ位か。
軌道エネルギーの式はその場の軌道を示す。エネルギーは、１÷軌道  です。
電子のラブの自転の軌道エネルギーは、地上の光子の軌道エネルギーの１０２４倍です。
ビッグバンの以前の電子のラブの自転の軌道エネルギーの式は、８×１０−５８Ｊ・ｍ÷軌道又はエネルギー  であり、
地上の電子のラブの自転の軌道エネルギーの式は、１０−４１Ｊ・ｍ÷軌道又はエネルギー  ですから、
ビッグバンの以前の電子のラブの自転の軌道は、地上の電子のラブの自転の軌道の、
８×１０−５８Ｊ・ｍ÷１０−４１Ｊ・ｍ＝８×１０−１７倍です。エネルギーは、１．２５×１０１６倍です。約１０１６倍です。
それで、ビッグバンの以前の電子のラブの自転の軌道エネルギーは、地上の光子の軌道エネルギーの１０２４×１０１６＝１０４０倍です。
電子のラブの自転の軌道エネルギーは電子の中の軌道エネルギーの１０１６倍です。
それで、電子の中の軌道エネルギーは地上の光子の軌道エネルギーの１０２４÷１０１６＝１０８倍です。
地上の光子の軌道エネルギーと電子の中の軌道エネルギーと電子のラブの自転の軌道エネルギーとビッグバンの以前の電子のラブの自転の軌道エネルギーの比は１：１０８：１０２４：１０４０です。
【請求項２１】
電子のラブの場の軌道エネルギーは、電子の中の場の軌道エネルギーの、１０１６倍です。この事は何を意味するのか。
電子の中において、電子のラブが公転する軌道のエネルギーは、電子の中の場の軌道エネルギーの１０１６倍です。
これは、電子のラブのエネルギーが高いからです。
電子のラブはビッグバンの以前のエネルギーをその中に留めるものであるからです。
【請求項２２】
ビッグバンの以前の電子のラブの自転の軌道エネルギーは、地上の場の軌道エネルギー１０１６×１０２４＝１０４０倍です。この事は何を意味するか。
▲１▼地上の軌道エネルギーの１０４０倍のエネルギーがビッグバンの以前の軌道エネルギーです。
▲２▼ビッグバンの以前の電子のラブの自転の軌道エネルギーは、太陽から放出する光子のエネルギーの何倍か。
太陽の外側の光子の軌道は約１０−１０ｍです。
ビッグバンの以前の電子のラブの自転の軌道は１０−４４ｍです。
それで、ビッグバンの以前の電子のラブの自転の軌道は、太陽の外側の光子の軌道の、
１０−４４ｍ÷１０−１０ｍ＝１０−３４倍です。エネルギーは１０３４倍です。
▲３▼ビッグバンの以前の光子の軌道は１０４０倍になった。
ビッグバンの以前、電子のラブの自転軌道は１０−４４ｍでしたから、それによって、１０−４３ｍの磁気の光子ができたとしますと、その磁気の光子の軌道は現在どれ位になっているか。
１０−４３ｍ×１０４０＝１０−３ｍになっている。背景放射は２ｍｍです。この軌道は１ｍｍです。
即ち、ビッグバンの以前にできた磁気の光子の軌道が１０４０倍になり背景放射になっている。
ビッグバンの以前の光子の軌道は１０４０倍になった事は背景放射によって証明できる。
▲４▼私たちは、今、ビッグバンの以前のエネルギーの１０４０分の１のエネルギーの場に生きている。
▲５▼電子のラブを作った環境のエネルギーは今の環境の１０４０倍のエネルギーです。
▲６▼１０４０倍の圧力で、電気の光子１０２４個分のエネルギーが圧縮され、電子のラブができた。
【請求項２３】
ビッグバンを起こす原因となった電子のラブの公転軌道はどれ位か。
電子のラブの自転軌道の式は、１０−４１Ｊ・ｍ÷軌道又はエネルギー  です。
電子のラブの公転軌道の式は、１０−２５Ｊ・ｍ÷軌道又はエネルギー  です。
電子のラブの公転軌道は、電子のラブの自転軌道の、１０−２５Ｊ・ｍ÷１０−４１Ｊ・ｍ＝１０１６倍です。
それで、地上の公転軌道は、１０−２８ｍ×１０１６＝１０−１２ｍです。
ビッグバンを起こす原因となった電子のラブの公転軌道は、１０−４４ｍ×１０１６＝１０−２８ｍです。
電子のラブが１０−２８ｍの軌道で公転したので、電子が一気に１０−４４ｍから１０−２８ｍに膨張した。この現象がビッグバンです。
【請求項２４】
本発明者が２００５年３月１７日提出した特許願で、宇宙に於けるエネルギーの比較と電子の核子の自転軌道と公転軌道の表に今回の考えを追加する。
電子の核子を電子のラブに直す。
2005269899.tif 000006
2005269899.tif 000007
電子のラブのエネルギーと電子の中の軌道エネルギーの比較は、電子のラブの自転軌道と公転軌道の差により計算すると、１０−２８ｍ：１０−１２ｍで、１０１６：１です。このように考える。
【発明の詳細な説明】
【技術分野】
【０００１】  この発明は電子の中がどのようになっているのか、陽子の中がどのようになっているかに関する。
【背景技術】
【０００２】  従来、電子の中にはクオークがあると考えられている。陽子の中にはクオークがあると考えられている。
【本発明が解決しようとする課題】
【０００３】  本発明者は、２００５年３月１７日提出の特許願いで、電子の中には電子の核子があり、それが自転して電子のラブに成っている。陽子の中には陽子の核子があり、それが自転して陽子のラブに成っている。と記した。
しかし、良く考えると、電子のラブと電子の核子は同じである。
電子のラブ＝電子の核子が自転することによって磁気の光子ができ、公転することによって電気の光子ができる。
１、  電子のラブと電子の核子は同じものです。電子のラブは電子の核子の自転体ではない。
２、  電子のラブ（＝電子の核子）とはどのようなものか。
３、  電子のラブが１自転すると、どうして１個の磁気の光子ができるか。
４、  電子のラブが１公転すると、どうして１個の電気の光子ができるか。
５、  導線を自由電子のラブ（＝電子の核子）が走る場合。
放出する磁気の光子のエネルギーは１．２５×１０−３７Ｊです。（本発明者の２００５−４７９１５に記す。）これはどのようなことを意味するのか。
６、導線を自由電子のラブ（＝電子の核子）が走る場合。
導線で、できる電気の光子のエネルギーは８×１０−２２Ｊです。（本発明者の２００５−４７９１５に記す。）これはどのようなことを意味するのか。
７、  原子を電子のラブが走る場合。どのようにして磁気の光子ができるか。
８、  原子を電子のラブが走る場合。どのようにして電子の光子ができるか。
９、  電子の中で、電気の光子と磁気の光子はどのようになっているか。
１０、電子のラブが１自転してできる磁気の光子のエネルギーと、電気の光子のエネルギーは等しく、電子のラブが１公転してできる磁気の光子のエネルギーと、電気の光子のエネルギーは等しい事はどうして証明されるか。
１１、電子の中の、電子のラブの公転の軌道エネルギーの式と、電気の光子１０８個の軌道エネルギーの式と、磁気の光子１０２４個の軌道エネルギーの式はどうであるか。
１２、ビッグバンにおける電子のラブの自転の軌道エネルギーの式と、地上に於ける電子のラブの自転の軌道エネルギーの式はどれ位か。
１３、電子のラブの自転の軌道エネルギーは公転の軌道エネルギーの何倍か。
１４、電子のラブのエネルギーは電気の光子何個分のエネルギーか。電子のラブのエネルギーは磁気の光子何個分のエネルギーか。
１５、地上に於ける、電気の光子の軌道エネルギーの式と磁気の光子の軌道エネルギーの式はどのように成っているか。電子の外側の光子が排斥される原理。
１６、どうして電子の大きさは一定であるのか。どうして、電子の外側の軌道の光子は排斥されるか。
１７、地上に放出するとどうして光子は分散するか。
１８、地上に放出した電気の光子と磁気の光子はどのようになるか。
１９、地上に於ける電子のラブの自転の軌道エネルギーの式と、磁気の光子１０１６個の軌道エネルギーの式が１０−４１Ｊ・ｍ÷軌道又はエネルギー  であり、同じである事は何を意味するのか。
２０、地上の光子の軌道エネルギーと電子の中の軌道エネルギーと電子のラブの自転の軌道エネルギーとビッグバンの以前の電子のラブの軌道エネルギーの比はどれ位か。
２１、電子のラブの場の軌道エネルギーは、電子の中の場の軌道エネルギーの、１０１６倍です。この事は何を意味するのか。
２２、ビッグバンの以前の電子のラブの自転の軌道エネルギーは、地上の場の軌道エネルギー１０１６×１０２４＝１０４０倍です。この事は何を意味するか。
２３、ビッグバンを起こす原因となった電子のラブの公転軌道はどれ位か。
２４、本発明者が２００５年３月１７日提出した特許願で、宇宙に於けるエネルギーの比較と電子の核子の自転軌道と公転軌道の表に今回の考えを追加する。
【課題を解決するための手段】
【０００４】  本発明者は、２００５年２月７日提出した特願２００５−６３０４４において、（電子において、電子のラブが１公転し、８×１０−３８Ｊの電気の光子を作る。電子のラブが１自転し、１０−５３Ｊの磁気の光子を作る。）と書きました。
電子のラブは１公転の間に１０１６回自転しますので、１公転の間にできる磁気の光子のエネルギーは、１０−５３Ｊ×１０１６＝１０−３７Ｊです。
電気の光子はコイル状に自転しますので、電子のラブが１回自転する事を、１個の電気のコイルとみなす事ができます。
それで、１０１６個の電気のコイルによって、１０１６個の磁気の光子ができます。
電気のコイルは１０１６個です。この電気のコイルを伸ばすと、１個の電気の光子ができます。
１個の電気の光子のエネルギーが８×１０−３８Ｊです。
１０１６個の電気のコイルでできる、１個の電気の光子のエネルギーが８×１０−３８Ｊです。
１個の電気のコイルのエネルギーは、８×１０−３８Ｊ÷１０１６個＝８×１０−５４Ｊです。
よって、電子のラブが１自転することによってできる１個の磁気の光子のエネルギーと電気の光子（＝１個の電気のコイル）のエネルギーは共に約１０−５３Ｊであり、等しい。
電子のラブが１公転することによってできる、１０１６個の磁気の光子のエネルギーと１個の電気の光子のエネルギーは共に約１０−３７Ｊであり、等しい。
本発明者の特願２００５−４７９１５より、
導線でできる磁気の光子１個のエネルギーは１．２５×１０−３７Ｊです。
導線でできる電気の光子１個のエネルギーは８×１０−２２Ｊです。
導線でできる磁気の光子１個のエネルギーは、電子のラブが１公転してできる１０１６個の磁気の光子のエネルギーです。
導線でできる電気の光子１個のエネルギー（１．２５×１０−３７Ｊ）は、電子のラブが１秒間に自転しながら走ってできた電気の光子のエネルギーです。１個の電気のコイルのエネルギー×１秒間の自転数＝８×１０−５４Ｊ×１０３２回＝８×１０−２２Ｊです。
電子の中で、電気の光子であるＸ線は、１０８個の電気の光子が集まったものです。
電子のラブが１公転して、１０１６個の磁気の光子と１個の電気の光子ができる。
それで、１０８個の電気の光子には１０２４個の磁気の光子がクロス回転している。
電子の中は、Ｘ線が単位となっている。Ｘ線は１０８個の電気の光子です。それをクロス回転する１０２４個の磁気の光子が１対の単位となっている。
２００５年２月２８日には、電子の中に於ける、１０８個の電気の光子と１０１６個の磁気の光子の軌道別、軌道エネルギーの式を記した。今回は、電子の中に於ける、１０２４個の磁気の光子の軌道別、軌道エネルギーの式を記す。
電子の外側の光子は地上の光子により排斥されると考える。
それで、地上の光子の軌道エネルギーは、電子の外側の光子の軌道エネルギーより少し大きい。電子の外側の光子の軌道を１０−９ｍとし、地上の光子の軌道エネルギーの式を求める。
電子の外側から地上に放出した電気の光子は、１０８個から分散し、１個になる。
磁気の光子は、１０２４個から１０１６個になる。そして更に、１個になる。
電気の光子１個の軌道エネルギーと磁気の光子１０１６個の軌道エネルギーの式は、１０−４１Ｊ・ｍ÷軌道又はエネルギー  ですから、電気の光子１個の軌道は１０−４ｍであり、磁気の光子１０１６個の軌道は１０−４ｍです。
磁気の光子１個の軌道エネルギーの式は、１０−５７Ｊ・ｍ÷軌道又はエネルギー  ですから、磁気の光子１個である１０−５３Ｊの軌道は１０−４ｍです。
ビッグバンの以前の電子のラブの自転の軌道と、地球の電子のラブの自転の軌道と、電子のラブの公転の軌道と、地上の軌道より、その場のエネルギーの比較ができる。
これは、軌道エネルギーの式によっても求められる。
この比較により、ビッグバンの以前、電子のラブがどのようにできたかを知る事ができる。
【発明の実施態様】
【０００５】１．  電子のラブと電子の核子は同じものです。電子のラブは電子の核子の自転体ではない。電子のラブ（＝電子の核子）が自転し、磁気の光子を作っている。電子のラブ（＝電子の核子）が公転し、電気の光子を作っている。
陽子のラブと陽子の核子は同じものです。陽子のラブは陽子の核子の自転体ではない。陽子のラブ（＝陽子の核子）が自転し、磁気の光子を作っている。陽子のラブ（＝陽子の核子）が公転し、電気の光子を作っている。
２．  電子のラブ（＝電子の核子）とはどのようなものか。
電子のラブ（＝電子の核子）は、ビッグバンの以前に存在した、高エネルギー体である。
ビッグバンの以前は、１０−４４ｍの軌道を自転し、現在、地球では、１０−２８ｍの軌道を自転する。
電子のラブ（＝電子の核子）の自転や公転の軌道は存在する場のエネルギーによって変わる。
電子のラブ（＝電子の核子）のエネルギーは８×１０−１４Ｊです。
電子のラブ（＝電子の核子）の自転は公転と同じ方向です。
電子のラブ（＝電子の核子）は電気の光子が１０２４分のエネルギーでできた。
電子のラブは、地上の場のエネルギー（＝軌道エネルギー）の１０４０倍の場でできた。
電子のラブは、電気の光子でできているので、１自転で、１個の電気のコイルができる。
電子のラブは、電気の光子でできているので、走ったエネルギーが電気の光子に成る。
３．  電子のラブが１自転すると、どうして１個の磁気の光子ができるか。（図１）（図２）
電子のラブ（＝電子の核子）が１回自転することによって、電気のコイルが１個できる。
電子のラブ（＝電子の核子）が１回自転すると、電気のコイルが１個でき、１個の磁気の光子ができる。
電子のラブは１公転する間に、１０１６回自転する。
電子のラブは１公転する閧に、１０１６回自転するので、電気のコイルが１０１６個できる。
電気のコイルが１０１６個で１０１６個の磁気の光子ができる。
電子のラブは１公転する間に１０１６回自転し、電気のコイルを１０１６個作るので、１０１６個の磁気の光子ができる。
４．  電子のラブが１公転すると、どうして１個の電気の光子ができるか。（図３）
電子のラブは１公転する間に、１０１６回自転するので、電気のコイルが１０１６個できる。
電気のコイルが１０１６個で１本の電気の光子です。
１０１６個の電気のコイルが１個の電気の光子です。
電子のラブ（＝電子の核子）が１回自転すると、そのあとに電気の光子のコイルができる。
電子のラブ（＝電子の核子）が自転した運動エネルギーが電気の光子のエネルギーに成る。
５．  導線を自由電子のラブ（＝電子の核子）が走る場合。（図４）
放出する磁気の光子のエネルギーは１．２５×１０−３７Ｊです。（本発明者の２００５−４７９１５に記す。）これはどのようなことを意味するのか。
電子のラブは１自転で１０−５３Ｊの磁気の光子を作る。１公転の間に１０１６回自転するので、１公転するときできる磁気の光子のエネルギーは、
１０−５３Ｊ×１０１６回＝１０−３７Ｊです。
よって、導線から放出する磁気の光子１個のエネルギー１．２５×１０−３７Ｊは、電子のラブが１０１６回自転してできた磁気の光子１０１６個が輪になった磁気の光子のエネルギーです。
この事によって、磁気の光子１０１６個が輪になって、導線から放出する事が理解できる。
６．  導線を自由電子のラブ（＝電子の核子）が走る場合。（図５）
導線で、できる電気の光子のエネルギーは８×１０−２２Ｊです。（本発明者の２００５−４７９１５に記す。）これはどのようなことを意味するのか。
電子のラブは１自転し、１つの電気のコイルを作る。
１公転で１０１６個の電気のコイルができます。
１公転で８×１０−３８Ｊの電気の光子ができますから、１つの電気のコイルのエネルギーは、
８×１０−３８Ｊ÷１０１６個＝８×１０−５４Ｊです。
即ち、電子のラブが１自転してできる磁気の光子のエネルギーと１自転してできる電気のコイルのエネルギーは等しい。
導線の中で、自由電子のラブは自転しながら走る。
１秒間に、１０３２回自転しますから、１秒間にできる電気のコイルのエネルギーは、
８×１０−５４Ｊ×１０３２回＝８×１０−２２Ｊです。
即ち、導線で、できる電気の光子のエネルギー８×１０−２２Ｊは、自由電子のラブが１秒間に、１０３２回自転しながら走ってできる電気のコイルのエネルギーです。
電気のコイルのエネルギーは電気の光子が回転しながら走るエネルギーです。
導線の中を、自由電子のラブが１秒間に、１０３２回自転しながら走って８×１０−２２Ｊの電気の光子を作る。
自由電子のラブが走った逆方向に電気の光子は走るので、電気のコイルは伸びる。伸びて波の状態になる。
７・  原子を電子のラブが走る場合。どのようにして磁気の光子ができるか。（図６）
電子のラブ（＝電子の核子）が１回自転すると、１個の電気のコイルができます。１個の電気のコイルによって、１個の磁気の光子ができます
電子のラブ（＝電子の核子）が２回自転すると、２個目の電気の光子のコイルができます。
２個目の電気の光子のコイルによって、２個目の磁気の光子ができます。
電子のラブ（＝電子の核子）が１０１６回自転すると、１０１６個の電気の光子のコイルができます。１０１６個の電気の光子のコイルによって、１０１６個の磁気の光子ができます。これで１公転です。
磁気の光子は電気のコイルの回転に垂直に回転する。
１公転で、１０１６個の磁気の光子はまとまり、１０−１２ｍの磁気の光子の輪になります。
８．  原子を電子のラブが走る場合。どのようにして電子の光子ができるか。（図６）
電子のラブ（＝電子の核子）が１回自転すると、１個の電気のコイルができます。１個の電気のコイルによって、１個の磁気の光子ができます。
電子のラブ（＝電子の核子）が２回自転すると、２個目の電気の光子のコイルができます。
２個目の電気の光子のコイルによって、２個目の磁気の光子ができます。
電子のラブ（＝電子の核子）が１０１６回自転すると、１０１６個の電気の光子のコイルができます。１０１６個の電気の光子のコイルによって、１０１６個の磁気の光子ができます。これで１公転です。
１公転で、１０１６個の電気の光子のコイルは１本の電気の光子になります。
電気の光子のコイルは１０−２８ｍの軌道です。
電気の光子のコイルは波長が２×１０−２８ｍで、電気の光子のコイルは１０１６連なり１本の電気の光子の輪となります。
１０−１２ｍの電気の光子の輪になります。
９．  電子の中で、電気の光子と磁気の光子はどのようになっているか。（図７）
電子の中で、電気の光子は１０８個束になりＸ線になっている。Ｘ線は集まって特性Ｘ線になっている。電子の中で、１秒間に電子のラブは、秒速４×１０４ｍで走るから、１秒間に電子のラブは、
４×１０４ｍ÷（３．１４×１０−１２ｍ）≒１０１６回公転する。
それで、１秒間にできるＸ線は、１０１６個÷１０８個＝１０８個です。
これらのＸ線は特性Ｘ線になって軌道を回転している。
電気の光子が１０８個でＸ線になるので、磁気の光子は１０８＋１６個＝１０２４個で束になっている。
１秒間に電子のラブは、秒速４×１０４ｍで走るから、１秒間に電子のラブは、
４×１０４ｍ÷（３．１４×１０−２８ｍ）≒１０３２回自転する。
１秒間に磁気の光子は１０３２個できる。
１０２４個で束になっている磁気の光子は、１０３２個÷１０２４個＝１０８個できる。
Ｘ線の数と１０２４個で束になっている磁気の光子の数は同じです。
特性Ｘ線の回りを１０２４個で束になっている磁気の光子は集まって、クロス回転している。
電子のラブが１公転でできる磁気のエネルギーと電気のエネルギーは同じです。
電子のラブが１公転でできる電気の光子のエネルギーは８×１０−３８Ｊで、
１公転でできる磁気の光子のエネルギーは、１０−５３Ｊ×１０１６個＝１０−３７Ｊです。
電子のラブが１秒間で作る電気の光子のエネルギーは、８×１０−３８Ｊ×１０１６回公転＝８×１０−２２Ｊです。
電子のラブが１秒間で作る電気の光子のエネルギーは、１０−３７Ｊ×１０１６回公転＝１０−２１Ｊです。
電子の中で、磁気の光子か集まって回転するエネルギーと、電気の光子が集まって回転するエネルギーは同じです。
１０．  電子のラブが１自転してできる磁気の光子のエネルギーと、電気の光子のエネルギーは等しく、電子のラブが１公転してできる磁気の光子のエネルギーと、電気の光子のエネルギーは等しい事はどうして証明されるか。
導線において、１Ａ・１ｍでできる磁気の光子のエネルギーは３．１６×１０−４Ｊです。
１Ａ・３×１０８ｍでできる磁気の光子のエネルギーは、
３．１６×１０−４Ｊ×３×１０８ｍ＝９．４８×１０４Ｊです。
（３．１６×１０−４）２＝１０−７        （９．４８×１０４）２≒９×１０９
よって、１Ａ・１秒でできる磁気の光子のエネルギーは、１Ａ・１秒でできる電気の光子のエネルギーと等しい。
それで、１公転でできる磁気の光子のエネルギーと電気の光子のエネルギーは等しい。
１１．  電子の中の、電子のラブの公転の軌道エネルギーの式と、電気の光子１０８個の軌道エネルギーの式と、磁気の光子１０２４個の軌道エネルギーの式はどうであるか。
電子のラブの公転の軌道エネルギーの式は、１０−２５Ｊ・ｍ÷軌道又はエネルギー  です。
電子の中の軌道エネルギーの式に関しては、２００５年２月２８日に提出した特許願に記した。
電子の中の電気の光子１０８個であるＸ線の軌道エネルギーの式に関しては、『請求項２』に記した。
電子の中の磁気の光子１０１６個の軌道エネルギーの式に関しては、『請求項１』に記した。
電子の中の磁気の光子１０２４個の軌道エネルギーの式に関しては、『請求項１』に記した値の１０８倍です。
2005269899.tif 000003
１２．  ビッグバンにおける電子のラブの自転の軌道エネルギーの式と、地上に於ける電子のラブの自転の軌道エネルギーの式はどれ位か。
ビッグバンにおける電子のラブの自転の軌道エネルギーの式をｘとしますと、
ｘ÷（８×１０−１４Ｊ）＝１０−４４ｍ          ｘ＝８×１０−５８Ｊ・ｍ
即ち、ビッグバンにおける電子のラブの自転の軌道エネルギーの式は、８×１０−５８Ｊ・ｍ÷軌道又はエネルギー  です。
地上に於ける電子のラブの自転の軌道エネルギーの式をｙとしますと、
ｘ÷（８×１０−１４Ｊ）＝１．２５×１０−２８ｍ          ｙ＝１０−４１Ｊ・ｍ
即ち、地上に於ける電子のラブの自転の軌道エネルギーの式は、１０−４１Ｊ・ｍ÷軌道又はエネルギー  です。
１３．  電子のラブの自転の軌道エネルギーは公転の軌道エネルギーの何倍か。
電子のラブの自転の軌道エネルギーの式は、１０−４１Ｊ・ｍ÷軌道又はエネルギー  です。
電子のラブの公転の軌道エネルギーの式は、１０−２５Ｊ・ｍ÷軌道又はエネルギー  です。
それで、電子のラブの自転の軌道エネルギーは公転の軌道エネルギーの、
１０−２５Ｊ・ｍ÷１０−４１Ｊ・ｍ＝１０１６倍です。
１４．  電子のラブのエネルギーは電気の光子何個分のエネルギーか。電子のラブのエネルギーは磁気の光子何個分のエネルギーか。
電子のラブのエネルギーは、８×１０−１４Ｊです。磁気の光子１個のエネルギーは１０−５３Ｊです。
それで、電子のラブのエネルギーは、磁気の光子のエネルギーの、
８×１０−１４Ｊ÷１０−５３Ｊ＝８×１０３９個分です。
電気の光子１個のエネルギーは８×１０−３８Ｊです。
それで、電子のラブのエネルギーは、電気の光子のエネルギーの、
８×１０−１４Ｊ÷（８×１０−３８Ｊ）＝１０２４個分です。
この事によって、１個の電子のラブは、電気の光子１０２４個分のエネルギーで作られた事が理解できる。
１５．  地上に於ける、電気の光子の軌道エネルギーの式と磁気の光子の軌道エネルギーの式はどのように成っているか。電子の外側の光子が排斥される原理。（図８）
地上において、電子の外側の特性Ｘ線の軌道は約１０−９ｍです。
この現象は、地上の光子によって電子の外側の光子が排斥されたと考える。
地上の光子の軌道エネルギーの式と電子の外側の軌道エネルギーの式は同じであると考える。
地上の光子の軌道エネルギーは電子の外側の光子の軌道エネルギーと平衡状態にある。
電子の中で、１０８個束になっていた電気の光子が、地上に放出すると、分散し、１個の電気の光子になる。
電子の中で、電子の外側である１０−９ｍの電気の光子１０８個の軌道エネルギーの式は、１．７×１０−３２Ｊ・ｍ÷軌道又はエネルギー  ですから、
電気の光子１個の軌道エネルギーの式は、
１．７×１０−３２Ｊ・ｍ÷１０８÷軌道又はエネルギー＝１．７×１０−４０Ｊ・ｍ÷軌道又はエネルギー  です。
地上の電気の光子１個の軌道エネルギーの式は、１．７×１０−４０Ｊ・ｍ÷軌道又はエネルギー  です。
電子の中で、１０２４個束になっていた電気の光子が、放出すると、分散し、１０１６個の電気の光子になった。
電子の中で、電子の外側である１０−９ｍの磁気の光子１０２４個の軌道エネルギーの式は、２．１４×１０−３２Ｊ・ｍ÷軌道又はエネルギー  ですから、
磁気の光子１０１６個の軌道エネルギーの式は、
２．１４×１０−３２Ｊ・ｍ÷１０８÷軌道又はエネルギー＝２．１４×１０−４０Ｊ・ｍ÷軌道又はエネルギー  です。
地上の磁気の光子１０１６個の軌道エネルギーの式は、１．７×１０−４０Ｊ・ｍ÷軌道又はエネルギーです。
電子の外側のＸ線の軌道は１０−９ｍより少し大きい。
よって、地上の電気の光子１個の軌道エネルギーの式は、従来、本発明者が考えてきた、１０−４１Ｊ・ｍ÷軌道又はエネルギー  です。
よって、地上の磁気の光子１０１６個の軌道エネルギーの式は、従来、本発明者が考えてきた、１０−４１Ｊ・ｍ÷軌道又はエネルギー  です。
そして、地上の電気の光子１０８個の軌道エネルギーの式は、
１０−４１Ｊ・ｍ÷１０８÷軌道又はエネルギー＝１０−３３Ｊ・ｍ÷軌道又はエネルギー  です。
そして、地上の磁気の光子１個の軌道エネルギーの式は、
１０−４１Ｊ・ｍ÷１０１６÷軌道又はエネルギー＝１０−５７Ｊ・ｍ÷軌道又はエネルギー  です。
１６．  どうして電子の大きさは一定であるのか。どうして、電子の外側の軌道の光子は排斥されるか。（図９）
電子の大きさ＝電子の外側の軌道の大きさ  は一定である。
それは、地上の光子により、電子の外側の軌道の光子が排斥されるからです。
地上の光子の軌道エネルギーは、１０−４１Ｊ・ｍ÷軌道又はエネルギー  です。
電気の光子の場合。
１０−９ｍにおける、電気の光子１個の軌道エネルギーの式は、１．７×１０−４０Ｊ・ｍ÷軌道又はエネルギー  です。
１０−８ｍにおける、電気の光子１個の軌道エネルギーの式は、９．５×１０−３７Ｊ・ｍ÷１０８÷軌道又はエネルギー＝９．５×１０−４５Ｊ・ｍ÷軌道又はエネルギー  です。
地上の光子の軌道エネルギーは、電子の外側の１０−８ｍの電気の光子の軌道エネルギーより大きいので、１０−８ｍの電子の光子を排斥する。
電子の外側の１０−９ｍの電気の光子の軌道エネルギーは、地上の光子の軌道エネルギーより大きいので排斥されない。
磁気の光子の場合。
１０−９ｍにおける、磁気の光子１０１６個の軌道エネルギーの式は、２．１４×１０−４０Ｊ・ｍ÷軌道又はエネルギー  です。
１０−８ｍにおける、磁気の光子１０１６個の軌道エネルギーの式は、１．２×１０−３６Ｊ・ｍ÷１０８÷軌道又はエネルギー＝１．２×１０−４４Ｊ・ｍ÷軌道又はエネルギー  です。
地上の光子の軌道エネルギーは、電子の外側の１０−８ｍの磁気の光子の軌道エネルギーより大きいので、１０−８ｍの磁子の光子を排斥する。
電子の外側の１０−９ｍの磁気の光子の軌道エネルギーは、地上の光子の軌道エネルギーより大きいので排斥されない。
１７．  地上に放出するとどうして光子は分散するか。
電子の中において、電子のラブが光子を引き付けているので、光子の蜜度が高い。
しかし、電子の外側に出ると、電子のラブが無いので、光子は分散する。
１０８個の電気の光子は１個に分散します。
１０２４個の磁気の光子は１０１６個に分散します。１０１６個の磁気の光子の輪はほどけ、更に１個の磁気の光子に分散します。
１８．  地上に放出した電気の光子と磁気の光子はどのようになるか。（図１０）
電子の外側の光子は排斥され、地上に放出すると、電子の光子は１０８個の束から、分散し、１個の電気の光子になる。
電気の光子１個のエネルギーは、８×１０−３８Ｊです。
その軌道は、地上で、
１０−４１Ｊ・ｍ÷（８×１０−３８Ｊ）＝１．２５×１０−４ｍになります。波長は２．５×１０−４ｍです。
これは遠赤外線で、熱エネルギーになっています。
夜でも暖かいのは、地上の電気の光子が遠赤外線であるからです。
電気の光子は、束がほどけると、軌道は１０−８ｍから１０−４ｍに拡大する。波長は１０４倍にのびる。
磁気の光子は、１０２４個から１０１６個に分散します。
磁気の光子１０１６個は１０−３７Ｊです。
その軌道は、地上で、
１０−４１Ｊ・ｍ÷１０−３７Ｊ＝１０−４ｍになります。
磁気の光子は、束がほどけると、軌道は１０−８ｍから１０−４ｍに拡大する。１０４倍に拡大する。
磁気の光子１０１６個は、輪がほどけると、１個の磁気の光子になる。
磁気の光子１個は１０−５３Ｊですから、その軌道は地上で、
１０−５７Ｊ・ｍ÷１０−５３Ｊ＝１０−４ｍになります。
１個の磁気の光子の軌道は次のように変化する。
電子の中１０−１２ｍの軌道では、１０２４個束になっていて、１個の磁気の光子は１０−２８ｍです。
電子の中１０−９ｍの軌道では、１０２４個束になっていて、１個の磁気の光子は１０−２５ｍです。
地上に放出し、１０１６個の輪になって、輪の大きさが１０−４ｍのとき、１個の磁気の光子は１０−２０ｍです。
そして更に、１０１６個の輪がほどけ、１個の磁気の光子になったとき、１個の磁気の光子は１０−４ｍです。
磁気の光子は、１０１６個の輪がほどけ、１個の磁気の光子になったとき、１個の磁気の光子は１０１６倍大きくなる。
この事によって、地上の光子の軌道は１０−４ｍである事が理解できる。
１９．  地上に於ける電子のラブの自転の軌道エネルギーの式と、磁気の光子１０１６個の軌道エネルギーの式が１０−４１Ｊ・ｍ÷軌道又はエネルギー  であり、同じである事は何を意味するのか。
電子のラブのエネルギーは、８×１０−１４Ｊです。
磁気の光子１０１６個のエネルギーは、１０−３７Ｊです。
電気の光子１個のエネルギーは、８×１０−３８Ｊです。
それで、電子のラブの自転軌道は、１０−４１Ｊ・ｍ÷（８×１０−１４Ｊ）＝１．２５×１０−２８ｍです。
磁気の光子１０１６個の自転軌道は、１０−４１Ｊ・ｍ÷１０−３７Ｊ＝１０−４ｍです。
電気の光子１個の自転軌道は、１０−４１Ｊ・ｍ÷（８×１０−３８Ｊ）＝１．２５×１０−４ｍです。
電子のラブの自転軌道は、電気の光子１個の自転軌道の、
１．２５×１０−２８ｍ÷（１．２５×１０−４ｍ）＝１０−２４倍です。
地上に於ける電子のラブの自転の軌道エネルギーの式と、磁気の光子１０１６個の軌道エネルギーの式が１０−４１Ｊ・ｍ÷軌道又はエネルギー  であり、同じである事は、
電子のラブの自転軌道は、電気の光子１個の自転軌道の、
１０−２４倍であり、エネルギーは１０２４倍であるということです。
電子のラブの自転軌道は、磁気の光子１０１６個の自転軌道の、
１０−２４倍であり、エネルギーは１０２４倍であるということです。
２０．  地上の光子の軌道エネルギーと、電子の中の軌道エネルギーと、電子のラブの自転の軌道エネルギーと、ビッグバンの以前の電子のラブの自転の軌道エネルギーの比はどれ位か。（図１１）
軌道エネルギーの式はその場の軌道を示す。エネルギーは、１÷軌道  です。
電子のラブの自転の軌道エネルギーは、地上の光子の軌道エネルギーの１０２４倍です。
ビッグバンの以前の電子のラブの自転の軌道エネルギーの式は、８×１０−５８Ｊ・ｍ÷軌道又はエネルギー  であり、
地上の電子のラブの自転の軌道エネルギーの式は、１０−４１Ｊ・ｍ÷軌道又はエネルギー  ですから、
ビッグバンの以前の電子のラブの自転の軌道は、地上の電子のラブの自転の軌道の、
８×１０−５８Ｊ・ｍ÷１０−４１Ｊ・ｍ＝８×１０−１７倍です。エネルギーは、１．２５×１０１６倍です。約１０１６倍です。
それで、ビッグバンの以前の電子のラブの自転の軌道エネルギーは、地上の光子の軌道エネルギーの１０２４×１０１６＝１０４０倍です。
電子のラブの自転の軌道エネルギーは電子の中の軌道エネルギーの１０１６倍です。
それで、電子の中の軌道エネルギーは地上の光子の軌道エネルギーの１０２４÷１０１６＝１０８倍です。
地上の光子の軌道エネルギーと電子の中の軌道エネルギーと電子のラブの自転の軌道エネルギーとビッグバンの以前の電子のラブの自転の軌道エネルギーの比は１：１０８：１０２４：１０４０です。
２１．  電子のラブの場の軌道エネルギーは、電子の中の場の軌道エネルギーの、１０１６倍です。この事は何を意味するのか。
電子の中において、電子のラブが公転する軌道のエネルギーは、電子の中の場の軌道エネルギーの１０１６倍です。
これは、電子のラブのエネルギーが高いからです。
電子のラブはビッグバンの以前のエネルギーをその中に留めるものであるからです。
２２．  ビッグバンの以前の電子のラブの自転の軌道エネルギーは、地上の場の軌道エネルギー１０１６×１０２４＝１０４０倍です。この事は何を意味するか。
▲１▼地上の軌道エネルギーの１０４０倍のエネルギーがビッグバンの以前の軌道エネルギーです。
▲２▼ビッグバンの以前の電子のラブの自転の軌道エネルギーは、太陽から放出する光子のエネルギーの何倍か。
太陽の外側の光子の軌道は約１０−１０ｍです。
ビッグバンの以前の電子のラブの自転の軌道は１０−４４ｍです。
それで、ビッグバンの以前の電子のラブの自転の軌道は、太陽の外側の光子の軌道の、
１０−４４ｍ÷１０−１０ｍ＝１０−３４倍です。エネルギーは１０３４倍です。
▲３▼ビッグバンの以前の光子の軌道は１０４０倍になった。
ビッグバンの以前、電子のラブの自転軌道は１０−４４ｍでしたから、それによって、１０−４３ｍの磁気の光子ができたとしますと、その磁気の光子の軌道は現在どれ位になっているか。
１０−４３ｍ×１０４０＝１０−３ｍになっている。背景放射は２ｍｍです。この軌道は１ｍｍです。
即ち、ビッグバンの以前にできた磁気の光子の軌道が１０４０倍になり背景放射になっている。
ビッグバンの以前の光子の軌道は１０４０倍になった事は背景放射によって証明できる。
▲４▼私たちは、今、ビッグバンの以前のエネルギーの１０４０分の１のエネルギーの場に生きている。
▲５▼電子のラブを作った環境のエネルギーは今の環境の１０４０倍のエネルギーです。
▲６▼１０４０倍の圧力で、電気の光子１０２４個分のエネルギーが圧縮され、電子のラブができた。
２３．  ビッグバンを起こす原因となった電子のラブの公転軌道はどれ位か。
電子のラブの自転軌道の式は、１０−４１Ｊ・ｍ÷軌道又はエネルギー  です。
電子のラブの公転軌道の式は、１０−２５Ｊ・ｍ÷軌道又はエネルギー  です。
電子のラブの公転軌道は、電子のラブの自転軌道の、１０−２５Ｊ・ｍ÷１０−４１Ｊ・ｍ＝１０１６倍です。
それで、地上の公転軌道は、１０−２８ｍ×１０１６＝１０−１２ｍです。
ビッグバンを起こす原因となった電子のラブの公転軌道は、１０−４４ｍ×１０１６＝１０−２８ｍです。
電子のラブが１０−２８ｍの軌道で公転したので、電子が一気に１０−４４ｍから１０−２８ｍに膨張した。この現象がビッグバンです。
２４．  本発明者が２００５年３月１７日提出した特許願で、宇宙に於けるエネルギーの比較と電子の核子の自転軌道と公転軌道の表に今回の考えを追加する。
電子の核子を電子のラブに直す。
2005269899.tif 000004
電子のラブのエネルギーと電子の中の軌道エネルギーの比較は、電子のラブの自転軌道と公転軌道の差により計算すると、１０−２８ｍ：１０−１２ｍで、１０１６：１です。このように考える。
【発明の効果】
１．ビッグバンの以前、１個の電子のラブは、電気の光子１０２４個分のエネルギーでできた事を理解できた。
２．ビッグバンの以前、地上のエネルギーの１０４０倍のエネルギーの場で、電気の光子１０２４個分のエネルギーを圧縮してできたものが１個の電子のラブである事を理解できた。
３．１個の電子のラブは、電気の光子１０２４個分のエネルギーを圧縮してできたものであるので、１自転して、１個の電気のコイルを作る事が理解できた。
４．１個の電子のラブは、電気の光子１０２４個分のエネルギーを圧縮してできたものであるので、走ったエネルギーが電気の光子のエネルギーになることを理解できた。
５．電子の中の電子のラブの自転軌道と公転軌道が理解できた。
６．電子の中の１対の電気の光子は１０８個であり、磁気の光子は１０２４個であると理解できた。Ｘ線は電気の光子が１０８個であり、これが集まって特性Ｘ線になっている。
７．電子の外側の光子が排斥される原理が理解できた。
８．地上では、電気の光子の軌道が１０−４ｍで、遠赤外線なので、夜でも暖かい事が理解できた。
９．地上の光子の軌道は１０−４ｍである事が理解できた。
１０．  背景放射はビッグバンの以前にできた磁気の光子が１０４０倍に成ったものである事が理解できた。
１１．  ビッグバンは、電子のラブが公転することによって、電子が１０−４４ｍから、一気に１０−２８ｍに膨張した現象であると理解できた。
１２．  宇宙における電子のラブの軌道エネルギーの比較ができた。
【図面の簡単な説明】
【０００６】
【図１】  電子のラブが１回自転すると、電気のコイルが１個できる。
【図２】  電子のラブは１公転する間に、１０１６回自転するので、電気のコイルが１０１６個できる。
【図３】  １０１６個の電気のコイルは１本の電気の光子の輪になる。Ａ図の電気の光子の回転方向を９０度回転するとＢ図に成り、１本の電気の光子になることが良く解る。
【図４】  導線において、電気のラブが１公転する間に、電子のコイルは１０１６個できるので、磁気の光子は１０１６個できる。この磁気の光子は１つの輪になり、放出する。これが１．２５×１０−３７Ｊの磁気の光子です。
【図５】  導線において、電子のラブが１公転して、１０−２８ｍの電気のコイルが１０１６個できる。１秒間に１０１６公転するから、電気のコイルのエネルギーは１秒間に、８×１０５４Ｊ×１０１６個×１０１６公転＝８×１０−２２Ｊできる。
【図６】  １個の電気のコイルに１個の磁気の光子の輪ができる。これが１公転すると１０１６個の電気のコイルは連なり、１個の電気の光子の輪になる。１０１６個の磁気の光子は１つの輪になる。
【図７】  電子の中で、電気の光子は１０８個でＸ線になっている。このＸ線が集まり特性Ｘ線になっている。この特性Ｘ線のまわりを、１０２４個の磁気の光子が束になり、その束が集まりクロス回転している。
【図８】  電子の外側の光子の軌道エネルギーより、地上の光子の軌道エネルギーが大きいので、電子の外側の光子は排斥される。
【図９】  地上の電気の光子１個と磁気の光子１０１６個の軌道エネルギーの式は、１０−４１Ｊ・ｍ÷軌道又はエネルギーです。これより軌道エネルギーの小さな光子は電子から排斥される。▲１▼  電気の光子の場合。１０−９ｍは、１．７×１０−４０Ｊ・ｍ÷軌道又はエネルギー  です。１０−８ｍは、９．５×１０−４５Ｊ・ｍ÷軌道又はエネルギー  です。▲２▼  磁気の光子の場合。１０−９ｍは、２．１４×１０−４０Ｊ・ｍ÷軌道又はエネルギー  です。１０−８ｍは、１．２×１０−４４Ｊ・ｍ÷軌道又はエネルギー  です。それで、１０−８ｍの光子は排斥される。
【図１０】▲１▼  電子から放出した電気の光子は、地上で、１０８個が分散し、１個の電気の光子になる。１０−８ｍから１０−４ｍの電気の光子になる。１０４倍に軌道は拡大する。２×１０−４ｍの電気の光子は遠赤外線であるので暖かい。▲２▼  電子から放出した磁気の光子は、地上で、１０２４個が分散し、１０１６個の磁気の光子になる。更に輪はほどかれ、１個の磁気の光子になる。電子の中で、１個の磁気の光子は、１０−２８ｍ（１０−１２ｍの回転軌道で）から１０−２５ｍ（１０−９ｍの回転軌道で）となり、地上に放出し、１０−２０ｍ（１０−４ｍの大きさで）となり、更に１０−４ｍになる。
【図１１】  ビッグバンの以前の電子のラブの自転の軌道エネルギーと、地球の電子のラブの自転の軌道エネルギーと、地球の電子のラブの公転の軌道エネルギーと、地上の光子の軌道エネルギーの比較は、１０４０：１０２４：１０８：１です。
【符号の説明】
１  電子のラブ      ２  電気のコイル      ３  磁気の光子
４  １公転で１０１６個の電気のコイルができる。
５  １公転で１０１６個の磁気の光子ができる。
６  １０１６個の電気のコイルが連なり１本の電気の光子の輪になる。
７  導線      ８  １０１６個の磁気の光子が１つの輪になる。
９  電気の光子１０８個の束＝Ｘ線      １０  Ｘ線が集まり特性Ｘ線になっている。
１１  １０２４個の磁気の光子が束になり、束が集まってクロス回転している。
１２  電子の外側の光子の軌道      １３  地上の光子の軌道
１４  電子の中の電気の光子の軌道      １５  地上の電気の光子の軌道
１６  電子の中の磁気の光子の軌道      １７  地上の磁気の光子の軌道
１８  １０８個の電気の光子      １９  １個の電気の光子
２０  １０−１２ｍの回転軌道の１個の磁気の光子（１０２４個の束）
２１  １０−９ｍの回転軌道の１個の磁気の光子（１０２４個の束）
２２  １０−４ｍの回転軌道の１個の磁気の光子（１０１６個）
２３  １０−４ｍの１個の磁気の光子（１個）
２４  ビッグバンの以前の電子のラブの自転の軌道エネルギー
２５  地球の電子のラブの自転の軌道エネルギー
２６  地球の電子のラブの公転の軌道エネルギー
２７  地上の光子の軌道エネルギー
【図１】
2005269899.tif 000008
【図２】
2005269899.tif 000009
【図３】
2005269899.tif 000010
【図４】
2005269899.tif 000011
【図５】
2005269899.tif 000012
【図６】
2005269899.tif 000013
【図７】
2005269899.tif 000014
【図８】
2005269899.tif 000015
【図９】
2005269899.tif 000016
【図１０】
2005269899.tif 000017
【図１１】
2005269899.tif 000018